(57)【要約】【課題】画像・動画・電子ドキュメント等といった多種のコンテンツを送受信することを主な課題とする。【解決手段】ＳＩＰによる呼接続で取得した情報に基づいて受信端末５との間でＴＣＰのセッションを確立し、ＴＣＰのセッション内で、コンテンツの種別を受信端末５で受信する能力があるか否かを確認し、受信する能力がある場合にコンテンツを送信する。【選択図】図１
2011040936.tif 000002
【特許請求の範囲】
【請求項１】
呼制御を用いて送信端末から受信端末にコンテンツを送信するコンテンツ配信システムにおいて、
前記送信端末は、
送信予定のコンテンツを記憶するコンテンツ記憶手段と、
ＳＩＰを用いて前記受信端末との間で呼接続を確立するＳＩＰ確立手段と、
前記呼接続で取得した情報に基づいて、前記受信端末との間でＴＣＰのセッションを確立するＴＣＰ確立手段と、
前記コンテンツ記憶手段から前記コンテンツを読み出して、前記ＴＣＰのセッション内で、当該コンテンツの種別を前記受信端末で受信する能力があるか否かを確認する受信能力確認手段と、
受信する能力がある場合に、前記ＴＣＰのセッション内で、前記コンテンツを前記受信端末に送信するコンテンツ送信手段と、を有し、
前記受信端末は、
前記コンテンツを受信するコンテンツ受信手段と、
当該コンテンツを記憶するコンテンツ記憶手段と、
を有することを特徴とするコンテンツ配信システム。
【請求項２】
前記ＴＣＰのセッション内で、前記受信端末が前記コンテンツを他の受信端末に回覧する能力があるか否かを確認する回覧能力確認手段を更に有し、
前記コンテンツ送信手段は、
回覧する能力がある場合に、少なくとも回覧先が記載された回覧情報を前記受信端末に送信することを特徴とする請求項１に記載のコンテンツ配信システム。
【請求項３】
前記受信端末は、
前記回覧情報に基づいて、前記送信端末から受信したコンテンツを前記他の受信端末に送信するコンテンツ回覧手段を更に有することを特徴とする請求項２に記載のコンテンツ配信システム。
【請求項４】
前記受信能力確認手段は、
受信可能なコンテンツの種別を送信するよう前記受信端末に要求し、当該受信端末から応答結果として送信されたコンテンツの種別に基づいて、前記受信する能力があるか否かを確認することを特徴とする請求項１乃至３のいずれか１項に記載のコンテンツ配信システム。
【請求項５】
前記受信能力確認手段は、
受信する能力のあるコンテンツの種別情報を前記受信端末と交換し、当該種別情報に基づいて、前記受信する能力があるか否かを確認することを特徴とする請求項１乃至３のいずれか１項に記載のコンテンツ配信システム。
【請求項６】
送信予定のコンテンツを記憶するコンテンツ記憶手段と、
ＳＩＰを用いて受信端末との間で呼接続を確立するＳＩＰ確立手段と、
前記呼接続で取得した情報に基づいて、前記受信端末との間でＴＣＰのセッションを確立するＴＣＰ確立手段と、
前記コンテンツ記憶手段から前記コンテンツを読み出して、前記ＴＣＰのセッション内で、当該コンテンツの種別を前記受信端末で受信する能力があるか否かを確認する受信能力確認手段と、
受信する能力がある場合に、前記ＴＣＰのセッション内で、前記コンテンツを前記受信端末に送信するコンテンツ送信手段と、
を有することを特徴とする送信端末。
【請求項７】
前記ＴＣＰのセッション内で、前記受信端末が前記コンテンツを他の受信端末に回覧する能力があるか否かを確認する回覧能力確認手段を更に有し、
前記コンテンツ送信手段は、
回覧する能力がある場合に、少なくとも回覧先が記載された回覧情報を前記受信端末に送信することを特徴とする請求項６に記載の送信端末。
【請求項８】
前記コンテンツ送信手段は、
前記回覧情報に基づいて、他の送信端末から受信したコンテンツを前記他の受信端末に送信するコンテンツ回覧手段であることを特徴とする請求項７に記載の送信端末。
【請求項９】
送信予定のコンテンツをコンテンツ記憶手段に記憶する手順と、
ＳＩＰを用いて受信端末との間で呼接続を確立する手順と、
前記呼接続で取得した情報に基づいて、前記受信端末との間でＴＣＰのセッションを確立する手順と、
前記コンテンツ記憶手段から前記コンテンツを読み出して、前記ＴＣＰのセッション内で、当該コンテンツの種別を前記受信端末で受信する能力があるか否かを確認する手順と、
受信する能力がある場合に、前記ＴＣＰのセッション内で、前記コンテンツを前記受信端末に送信する手順と、
を実行させることを特徴とする送信端末用プログラム。
【請求項１０】
送信予定のコンテンツをコンテンツ記憶手段に記憶する手順と、
ＳＩＰを用いて受信端末との間で呼接続を確立する手順と、
前記呼接続で取得した情報に基づいて、前記受信端末との間でＴＣＰのセッションを確立する手順と、
前記コンテンツ記憶手段から前記コンテンツを読み出して、前記ＴＣＰのセッション内で、当該コンテンツの種別を前記受信端末で受信する能力があるか否かを確認する手順と、
受信する能力がある場合に、前記ＴＣＰのセッション内で、前記コンテンツを前記受信端末に送信する手順と、
を実行させることを特徴とする送信端末用プログラムを記録したコンピュータ読み取り可能な記録媒体。
【発明の詳細な説明】
【技術分野】
【０００１】
本発明は、呼制御を用いたコンテンツの送信技術に関する。
【背景技術】
【０００２】
呼制御を用いて画像を送信する従来技術としては、公衆交換電話網で行われてきたＦＡＸの信号を音声データとして通信を行う方式（以降、みなし音声方式という）が存在している。これにより、画像を特定の相手先端末に送信することが可能となっていた（特許文献１、２参照）。
【先行技術文献】
【特許文献】
【０００３】
【特許文献１】特開２００４−３２６５７２号公報
【特許文献２】特開２００６−０２５１７８号公報
【発明の概要】
【発明が解決しようとする課題】
【０００４】
ＩＰネットワークによる電話網を用いることにより、電話番号を用いて広帯域のデータ通信を送受信端末間で行うことが可能である。しかしながら、上述したように、みなし音声方式により通信を行っているため、ＩＰネットワークで生じる遅延によって通信障害が発生するという問題や、画像のみしか送信できないという問題があった。
【０００５】
更に、複数端末にコンテンツを送り届ける際には、ある一の送信端末が複数の受信端末のそれぞれに対して一対一の通信を確立してコンテンツを送信するため、その一の送信端末に通信負荷や通信費用が集中するという問題もあった。
【０００６】
本発明は、上記課題を鑑みてなされたものであり、画像・動画・電子ドキュメント等といった多種のコンテンツを送受信することを第１の課題とし、負荷を分散しながらコンテンツを複数の端末に送信することを第２の課題とする。
【課題を解決するための手段】
【０００７】
請求項１に記載の本発明は、呼制御を用いて送信端末から受信端末にコンテンツを送信するコンテンツ配信システムにおいて、前記送信端末は、送信予定のコンテンツを記憶するコンテンツ記憶手段と、ＳＩＰを用いて前記受信端末との間で呼接続を確立するＳＩＰ確立手段と、前記呼接続で取得した情報に基づいて、前記受信端末との間でＴＣＰのセッションを確立するＴＣＰ確立手段と、前記コンテンツ記憶手段から前記コンテンツを読み出して、前記ＴＣＰのセッション内で、当該コンテンツの種別を前記受信端末で受信する能力があるか否かを確認する受信能力確認手段と、受信する能力がある場合に、前記ＴＣＰのセッション内で、前記コンテンツを前記受信端末に送信するコンテンツ送信手段と、を有し、前記受信端末は、前記コンテンツを受信するコンテンツ受信手段と、当該コンテンツを記憶するコンテンツ記憶手段と、を有することを特徴とする。
【０００８】
請求項２に記載の本発明は、前記ＴＣＰのセッション内で、前記受信端末が前記コンテンツを他の受信端末に回覧する能力があるか否かを確認する回覧能力確認手段を更に有し、前記コンテンツ送信手段は、回覧する能力がある場合に、少なくとも回覧先が記載された回覧情報を前記受信端末に送信することを特徴とする。
【０００９】
請求項３に記載の本発明は、前記受信端末が、前記回覧情報に基づいて、前記送信端末から受信したコンテンツを前記他の受信端末に送信するコンテンツ回覧手段を更に有することを特徴とする。
【００１０】
請求項４に記載の本発明は、受信可能なコンテンツの種別を送信するよう前記受信端末に要求し、当該受信端末から応答結果として送信されたコンテンツの種別に基づいて、前記受信する能力があるか否かを確認することを特徴とする。
【００１１】
請求項５に記載の本発明は、前記受信能力確認手段が、受信する能力のあるコンテンツの種別情報を前記受信端末と交換し、当該種別情報に基づいて、前記受信する能力があるか否かを確認することを特徴とする。
【００１２】
請求項６に記載の本発明は、送信予定のコンテンツを記憶するコンテンツ記憶手段と、ＳＩＰを用いて受信端末との間で呼接続を確立するＳＩＰ確立手段と、前記呼接続で取得した情報に基づいて、前記受信端末との間でＴＣＰのセッションを確立するＴＣＰ確立手段と、前記コンテンツ記憶手段から前記コンテンツを読み出して、前記ＴＣＰのセッション内で、当該コンテンツの種別を前記受信端末で受信する能力があるか否かを確認する受信能力確認手段と、受信する能力がある場合に、前記ＴＣＰのセッション内で、前記コンテンツを前記受信端末に送信するコンテンツ送信手段と、を有することを特徴とする。
【００１３】
請求項７に記載の本発明は、前記ＴＣＰのセッション内で、前記受信端末が前記コンテンツを他の受信端末に回覧する能力があるか否かを確認する回覧能力確認手段を更に有し、前記コンテンツ送信手段は、回覧する能力がある場合に、少なくとも回覧先が記載された回覧情報を前記受信端末に送信することを特徴とする。
【００１４】
請求項８に記載の本発明は、前記コンテンツ送信手段が、前記回覧情報に基づいて、他の送信端末から受信したコンテンツを前記他の受信端末に送信するコンテンツ回覧手段であることを特徴とする。
【００１５】
請求項９に記載の本発明は、送信予定のコンテンツをコンテンツ記憶手段に記憶する手順と、ＳＩＰを用いて受信端末との間で呼接続を確立する手順と、前記呼接続で取得した情報に基づいて、前記受信端末との間でＴＣＰのセッションを確立する手順と、前記コンテンツ記憶手段から前記コンテンツを読み出して、前記ＴＣＰのセッション内で、当該コンテンツの種別を前記受信端末で受信する能力があるか否かを確認する手順と、受信する能力がある場合に、前記ＴＣＰのセッション内で、前記コンテンツを前記受信端末に送信する手順と、を実行させることを特徴とする。
【００１６】
請求項１０に記載の本発明は、送信予定のコンテンツをコンテンツ記憶手段に記憶する手順と、ＳＩＰを用いて受信端末との間で呼接続を確立する手順と、前記呼接続で取得した情報に基づいて、前記受信端末との間でＴＣＰのセッションを確立する手順と、前記コンテンツ記憶手段から前記コンテンツを読み出して、前記ＴＣＰのセッション内で、当該コンテンツの種別を前記受信端末で受信する能力があるか否かを確認する手順と、受信する能力がある場合に、前記ＴＣＰのセッション内で、前記コンテンツを前記受信端末に送信する手順と、を実行させることを特徴とする。
【発明の効果】
【００１７】
本発明によれば、画像・動画・電子ドキュメント等といった多種のコンテンツを送受信することができ、負荷を分散しながらコンテンツを複数の端末に送信することができる。
【図面の簡単な説明】
【００１８】
【図１】第１の実施の形態に係るコンテンツ配信システムの全体構成を示す図である。
【図２】第１の実施の形態に係る送信端末の各機能部を示す図である。
【図３】第１の実施の形態に係る受信端末の各機能部を示す図である。
【図４】第１の実施の形態に係るコンテンツ配信システムの処理フローを示す図である。
【図５】第２の実施の形態に係るコンテンツ配信システムの全体構成を示す図である。
【図６】第２の実施の形態に係る送信端末の各機能部を示す図である。
【図７】回覧情報の記載内容を示す図である。
【図８】第２の実施の形態に係る受信端末の各機能部を示す図である。
【図９】第２の実施の形態に係るコンテンツ配信システムの処理フローを示す図である。
【発明を実施するための形態】
【００１９】
〔第１の実施の形態〕
図１は、第１の実施の形態に係るコンテンツ配信システムの全体構成を示す図である。この第１のコンテンツ配信システム１ａは、ＳＩＰを用いて呼制御が可能な送信端末３及び受信端末５を備え、ＳＩＰによる呼接続を確立した後にＴＣＰ接続を確立し、確立したＴＣＰのメディアセッション内で、送信対象であるコンテンツの種別が受信端末５で受信する能力があるか否かを確認してからコンテンツを送信することを特徴としている。以下、送信端末３及び受信端末５の各機能について説明する。
【００２０】
図２は、第１の実施の形態に係る送信端末の各機能部を示す図である。送信端末３は、画像・動画・電子ドキュメント等といった様々な種類のデジタルなコンテンツを読み込む読込部３１と、そのコンテンツを読み出し可能に保存しておく保存部３２と、マウスやキーボードといったユーザにより操作される操作部３３と、操作内容等を画面に出力する出力部３４と、ＳＩＰを用いて呼接続を確立するＳＩＰ確立部３５と、ＴＣＰのセッションを確立するＴＣＰ確立部３６と、送信対象であるコンテンツの種別を受信する能力があるか否かを確認する受信能力確認部３７と、コンテンツを送信する送信部３８と、を備えている。
【００２１】
図３は、第１の実施の形態に係る受信端末の各機能部を示す図である。受信端末５は、送信端末３からの要求に基づいて受信能力に関する情報を応答する能力応答部５１と、コンテンツを受信する受信部５２と、そのコンテンツを読み出し可能に保存する保存部５３と、そのコンテンツを画面に表示する表示部５４と、を備えている。
【００２２】
なお、このような送信端末３及び受信端末５は、ＣＰＵ等の演算処理装置やメモリ等の記憶装置を備えたコンピュータにより構成可能なものであり、各部の処理はプログラムによって実行される。このプログラムは記憶装置に記憶されており、記録媒体に記録することも、通信ネットワークを通して提供することも可能である。
【００２３】
次に、第１のコンテンツ配信システム１ａにおける処理の流れについて説明する。図４は、第１の実施の形態に係るコンテンツ配信システムの処理フローを示す図である。なお、本処理フローの前段として、ユーザによる操作部３３での操作により、出力部３４に出力される操作状況を確認しながら、保存部３２に保存されている様々な種類のコンテンツのうち送信予定のコンテンツが予め選択され、送信先である受信端末５の電話番号が既に入力されているものとする。
【００２４】
最初に、ＳＩＰ確立部３５が、入力された電話番号に基づいて、ＳＩＰを用いて受信端末５との間で呼接続を確立する（Ｓ１）。
【００２５】
次に、ＴＣＰ確立部３６が、ＳＩＰによる呼接続で取得した情報（例えば、受信端末５のＩＰアドレスやポート番号等）に基づいて、受信端末５との間でＴＣＰのメディアセッションを確立する（Ｓ２）。
【００２６】
続いて、受信能力確認部３７が、確立したＴＣＰのメディアセッション内で、選択されているコンテンツの種別（即ち、同種別のコンテンツ）を受信端末５で受信する能力があるか否かを確認する（Ｓ３）。なお、受信能力の確認方法の具体例については後述する。
【００２７】
その後、送信部３８が、受信端末５で受信する能力がある場合に、Ｓ２で確立したＴＣＰのメディアセッション内で、選択されているコンテンツの詳細情報（コンテンツのサイズやコンテンツの種別等）を受信端末５に送信して、受信端末５で受信する準備が完了したかを確認した後に、コンテンツの本体データを送信する（Ｓ４）。なお、Ｓ３〜Ｓ４（以下のＳ５も含む）の処理は一つコンテンツに対して行われ、送信予定のコンテンツが複数の場合には、それらの処理が繰り返し行われる。
【００２８】
一方、受信端末５では、受信部５２によりコンテンツが受信された後に、表示部５４が、そのコンテンツを画面に表示し、保存部５３が、そのコンテンツを保存する（Ｓ５）。
【００２９】
最後に、全てのコンテンツを送信した後に、送信端末３が、Ｓ１で確立したＳＩＰの呼接続を切断する（Ｓ６）。
【００３０】
ここで、上記Ｓ３における受信能力の確認方法の具体例について説明する。例えば、第１例として、受信端末５で受信可能なコンテンツ種別の送信を要求するコンテンツ種別送信要求を受信端末５に送信し、受信端末５からコンテンツ種別送信応答を受信した後に、そのコンテンツ種別送信応答に含まれているコンテンツの種別に基づいて、送信対象であるコンテンツを受信する能力があるか否かを確認する。たとえ受信端末５に当該コンテンツを受信する能力がない場合であっても、そのコンテンツの種別を受信可能な種別に変換し、その後送信することも可能である。これにより、後述する第２例の場合にはコンテンツ種別の受信可否を問うのみであって送信不可能となるケースが存在するが、どのような受信端末であっても確実にコンテンツを送信することができる。
【００３１】
また、第２例として、コンテンツの種別を受信端末５に送信し、受信端末５の能力応答部５１からの応答結果（受信能力の可否）に基づいて、その受信端末５でコンテンツを受信する能力があるか否かを確認するようにしてもよい。
【００３２】
その他、第３例として、送信端末３及び受信端末５は、自身の端末で受信可能なコンテンツの種別情報を予め保持しておき、受信能力確認部３７と能力応答部５１とが自身の端末の種別情報を交換し、交換された種別情報に基づいて、相手の端末で該種別のコンテンツを受信する能力があるか否かを確認するようにすることも可能である。
【００３３】
なお、コンテンツを送信する前に、種別を利用してコンテンツの受信能力の有無を確認するようにしたことが本実施の形態で説明するコンテンツ配信システムの特徴であり、第１例〜第３例で説明したコンテンツ種別の具体的確認方法はあくまでも一例であって、これらに限られるものではない。
【００３４】
第１の実施の形態によれば、ＳＩＰによる呼接続で取得した情報に基づいて受信端末５との間でＴＣＰのセッションを確立し、そのＴＣＰのセッション内で、コンテンツの種別を受信端末５で受信する能力があるか否かを確認し、受信する能力がある場合にコンテンツを送信するので、従来送受信が可能であった画像に加え、動画や電子ドキュメント等といった多種のデジタルコンテンツを送受信することができる。
【００３５】
〔第２の実施の形態〕
図５は、第２の実施の形態に係るコンテンツ配信システムの全体構成を示す図である。この第２のコンテンツ配信システム１ｂは、ＳＩＰを用いて呼制御が可能な送信端末３及び複数の受信端末５（第１の受信端末５ａ〜第４の受信端末５ｄ）を備え、第１の実施の形態で説明したコンテンツの種別を受信する能力の確認に加えて、送信対象であるコンテンツを後段の受信端末（例えば、第１の受信端末５ａから見て第２の受信端末５ｂ）に回覧する能力があるか否かを確認してからコンテンツを送信することを各受信端末で順番に繰り返すことにより、同じコンテンツを回覧（転送）することを特徴としている。以下、送信端末３及び第１の受信端末５ａの各機能について説明する。なお、第２の受信端末５ｂ〜第４の受信端末５ｄの各機能は、第１の受信端末５ａの機能と同様であるため、その説明は省略する。
【００３６】
図６は、第２の実施の形態に係る送信端末の各機能部を示す図である。図２に示した送信端末に、送信対象であるコンテンツを回覧する能力があるか否かについて確認する回覧能力確認部３９を更に備えている。また、保存部３２は、コンテンツを保存するのに加えて、コンテンツの回覧に必要な情報が記載された回覧情報を読み出し可能に保存する機能も有している。
【００３７】
ここで、回覧情報について説明する。図７は、回覧情報の記載内容を示す図である。回覧情報には、回覧先（回覧順を示す＜番号＞と回覧先端末の電話番号を示す＜電番＞との組）が記載された回覧リストと、回覧対象となるコンテンツのコンテンツ名が記載されたコンテンツリストと、コンテンツを受信した後に自動で（直ちに）転送する「自動」、若しくは閲覧等が行われてからユーザによる所定の操作がされた後に転送する「ユーザトリガ」のいずれかが指定された回覧方法と、コンテンツと回覧リストとコンテンツリストとから生成されるハッシュ情報とが記載されている。
【００３８】
例えば、回覧リストの番号「１」の電番には、第１の受信端末５ａの電話番号が記載され、回覧リストの番号「２」の電番には、第２の受信端末５ｂの電話番号が記載されている。送信端末３のＳＩＰ確立部３５は、回覧リストの番号「１」に対応する電話番号を用いてＳＩＰにより呼接続を確立することになる。なお、コンテンツを送信する最初のトリガーである送信端末３はユーザにより操作されるため、最初の受信端末（第１の受信端末５ａ）に対する電話番号を操作部３３から入力することも可能であり、その場合には、回覧リストの番号「１」の電番には、第２の受信端末５ｂの電話番号が記載され、回覧リストの番号「２」の電番には、第３の受信端末５ｃの電話番号が記載されている。なお、以下では前者を一例に説明する。
【００３９】
図８は、第２の実施の形態に係る受信端末の各機能部を示す図である。図３に示した受信端末に、送信端末３が備える機能と同様の機能を有するＳＩＰ確立部５５，ＴＣＰ確立部５６，受信能力確認部５７，回覧能力確認部５８と、コンテンツを回覧する回覧部５９と、を更に備えている。
【００４０】
次に、第２のコンテンツ配信システム１ｂにおける処理の流れについて説明する。図９は、第２の実施の形態に係るコンテンツ配信システムの処理フローを示す図である。なお、本処理フローの前段として、ユーザによる操作部３３での操作により、出力部３４に出力される操作状況を確認しながら、回覧先，コンテンツリスト，回覧方法が指定され、それを元に回覧情報が作成されているものとする。また、保存部３２に保存されている様々な種類のコンテンツのうち送信予定のコンテンツが予め選択され、送信先である第１の受信端末５ａの電話番号が、その作成された回覧情報から読み込まれているものとする。
【００４１】
最初に、送信端末３のＳＩＰ確立部３５が、既に読み込まれている電話番号に基づいて、ＳＩＰを用いて第１の受信端末５ａとの間で呼接続を確立する（Ｓ１０１）。
【００４２】
次に、ＴＣＰ確立部３６が、ＳＩＰによる呼接続で取得した情報（例えば、第１の受信端末５ａのＩＰアドレスやポート番号等）に基づいて、第１の受信端末５ａとの間でＴＣＰのメディアセッションを確立する（Ｓ１０２）。
【００４３】
続いて、受信能力確認部３７が、確立したＴＣＰのメディアセッション内で、選択されているコンテンツの種別（即ち、同種別のコンテンツ）を第１の受信端末５ａで受信する能力があるか否かを確認する（Ｓ１０３）。コンテンツ種別の具体的確認方法については、第１の実施の形態と同様である。
【００４４】
また、回覧能力確認部３９が、Ｓ１０２で確立したＴＣＰのメディアセッション内で、選択されているコンテンツを第１の受信端末５ａから他の受信端末に回覧する能力があるか否かを確認する（Ｓ１０４）。
【００４５】
具体的には、例えば、回覧を行うことを通知して、第１の受信端末５ａに対応する機能が搭載されているかを確認する。第１の受信端末５ａの能力応答部５１は、自身の受信端末５ａに回覧部５９が具備されていれば回覧能力があることを応答し、具備されていなければ回覧能力がないことを応答する。
【００４６】
その後、送信部３８が、第１の受信端末５ａで回覧能力がある場合に、Ｓ１０２で確立したＴＣＰのメディアセッション内で、回覧情報を第１の受信端末５ａに送信する（Ｓ１０５）。
【００４７】
また、送信部３８は、第１の受信端末５ａで受信能力がある場合に、Ｓ１０２で確立したＴＣＰのメディアセッション内で、選択されているコンテンツの詳細情報（コンテンツのサイズやコンテンツの種別等）を第１の受信端末５ａに送信して、第１の受信端末５ａで受信する準備が完了したかを確認した後に、コンテンツの本体データを送信する（Ｓ１０６）。なお、Ｓ１０３〜Ｓ１０６（以下のＳ１０８も含む）の処理は一つコンテンツに対して行われ、送信予定のコンテンツが複数の場合には、それらの処理が繰り返し行われる。
【００４８】
最後に、全てのコンテンツを送信した後に、Ｓ１０１で確立したＳＩＰの呼接続を切断する（Ｓ１０７）。
【００４９】
一方、第１の受信端末５ａでは、受信部５２が、回覧情報及びコンテンツを受信し、保存部５３が、保存する（Ｓ１０８）。
【００５０】
そして、回覧情報の回覧方法が「自動」の場合には、コンテンツを表示部５４に表示等することなく直ちに、「ユーザトリガ」の場合には、閲覧されてからユーザによる一定の操作後、第１の受信端末５ａのＳＩＰ確立部５５が、回覧情報に記載された次の回覧順（具体的には、自身の電話番号に対応する番号の次の番号）に対応する電話番号を用いて、ＳＩＰにより第２の受信端末５ｂとの間で呼接続を確立する（Ｓ１０９）。
【００５１】
次に、ＴＣＰ確立部５６が、ＳＩＰによる呼接続で取得した情報（例えば、第１の受信端末５ａのＩＰアドレスやポート番号等）に基づいて、第２の受信端末５ｂとの間でＴＣＰのメディアセッションを確立する（Ｓ１１０）。
【００５２】
続いて、受信能力確認部５７が、確立したＴＣＰのメディアセッション内で、回覧されるコンテンツの種別（即ち、同種別のコンテンツ）を第２の受信端末５ｂで受信する能力があるか否かを確認する（Ｓ１１１）。
【００５３】
また、回覧能力確認部５８が、Ｓ１１０で確立したＴＣＰのメディアセッション内で、回覧されるコンテンツを第２の受信端末５ｂから他の受信端末に回覧する能力があるか否かを確認する（Ｓ１１２）。
【００５４】
その後、回覧部５９が、第２の受信端末５ｂで回覧能力がある場合に、Ｓ１１０で確立したＴＣＰのメディアセッション内で、回覧情報を第２の受信端末５ｂに送信する（Ｓ１１３）。
【００５５】
また、回覧部５９は、第２の受信端末５ｂで受信能力がある場合に、Ｓ１１０で確立したＴＣＰのメディアセッション内で、回覧されるコンテンツの詳細情報を第２の受信端末５ｂに送信して、第２の受信端末５ｂで受信する準備が完了したかを確認した後に、コンテンツの本体データを送信する（Ｓ１１４）。
【００５６】
最後に、全てのコンテンツを送信した後に、Ｓ１０９で確立したＳＩＰの呼接続を切断する（Ｓ１１５）。
【００５７】
Ｓ１０８〜Ｓ１１５と同様の処理を第２の受信端末５ｂ（及び、更に後段の受信端末）で繰り返すことにより、送信端末３から送信されたコンテンツを全ての受信端末に対して順番に回覧することが可能となる。
【００５８】
なお、Ｓ１０５の処理とＳ１０６の処理順を入れ替え、又は／更には、Ｓ１１３の処理とＳ１１４の処理順を入れ替えても、同様の効果を得ることができる。
【００５９】
また、本実施の形態では、第１の受信端末５ａが、送信端末３との間のＳＩＰの呼接続が切断された後に、第２の受信端末５ｂとの間でＳＩＰの呼接続を確立して、ＴＣＰのメディアセッション内でコンテンツを回覧する処理について説明したが、コンテンツを受信したら直ちに第２の受信端末５ｂとの呼接続を開始してコンテンツを送信することも可能である。それにより、コンテンツを回覧する時間を短縮することができる。
【００６０】
更に、第１の受信端末５ａが備える機能のうち、能力応答部５１と、受信部５２と、表示部５４と、回覧部５９とを、送信端末３に具備させることにより、送信端末３についても他の送信端末から送信されたコンテンツを回覧させるようにすることも可能であり、その場合には、送信部３８が回覧部５９の役割を果たすようにしてもよい。
【００６１】
第２の実施の形態によれば、第１の受信端末５ａとの間におけるＴＣＰのセッション内で、第１の受信端末５ａがコンテンツを他の受信端末に回覧する能力があるか否かを確認し、回覧する能力がある場合に、回覧先や回覧順等が記載された回覧情報を第１の受信端末５ａに送信し、第１の受信端末５ａは、その回覧情報に基づいて、送信端末３から受信したコンテンツを他の受信端末に送信するので、負荷を分散しながらコンテンツを回覧することができる。また、回覧方法を指定するので、コンテンツを自動で転送する場合には遅延がなく、手動で転送する場合にはユーザの閲覧確認をしながら回覧することができる等、状況に適した回覧を行うことができる。
【符号の説明】
【００６２】
１ａ…第１のコンテンツ配信システム
１ｂ…第２のコンテンツ配信システム
３…送信端末
３１…読込部
３２…保存部（コンテンツ記憶手段）
３３…操作部
３４…出力部
３５…ＳＩＰ確立部（ＳＩＰ確立手段）
３６…ＴＣＰ確立部（ＴＣＰ確立手段）
３７…受信能力確認部（受信能力確認手段）
３８…送信部（コンテンツ送信手段）
３９…回覧能力確認部（回覧能力確認手段）
５…受信端末
５ａ〜５ｄ…第１の受信端末〜第４の受信端末
５１…能力応答部
５２…受信部（コンテンツ受信手段）
５３…保存部（コンテンツ記憶手段）
５４…表示部
５５…ＳＩＰ確立部
５６…ＴＣＰ確立部
５７…受信能力確認部
５８…回覧能力確認部
５９…回覧部（コンテンツ回覧手段）
Ｓ１〜Ｓ６、Ｓ１０１〜Ｓ１１５…ステップ
【図１】
2011040936.tif 000003
【図２】
2011040936.tif 000004
【図３】
2011040936.tif 000005
【図４】
2011040936.tif 000006
【図５】
2011040936.tif 000007
【図６】
2011040936.tif 000008
【図７】
2011040936.tif 000009
【図８】
2011040936.tif 000010
【図９】
2011040936.tif 000011